(57)【要約】【課題】省スペースを実現するとともにコストが削減される、電源装置の取付構造をもつ光源ユニットを提供する。【解決手段】光源ユニット２００は、フレーム２２０と、ネジ４０３を備えている。フレーム２２０は、発光部２１０が配置された配置面２２１ａと、発光部２１０を制御する電源装置２５０が配置された裏面２２１ｂとを有している。フレーム２２０は、配置面２２１ａから裏面２２１ｂに向かって突き出るとともに突き出た頂に平坦部４０２ａを有する絞り加工部４０２が形成されている。ネジ４０３は、配置面２２１ａよりも裏面２２１ｂの側で絞り加工部４０２に配置され、電源装置２５０を平坦部４０１ａに当接させた状態で電源装置２５０を絞り加工部４０２に取り付けている。【選択図】図８
2019140098.tif 000002
【特許請求の範囲】
【請求項１】
光を発する発光部が配置された配置面と、前記発光部を制御する制御装置が配置された、前記配置面の裏面とを有し、前記配置面から前記裏面に向かって突き出るとともに突き出た頂に平坦部を有する突き出し部が形成された支持部材と、
前記配置面よりも前記裏面の側で前記突き出し部に配置され、前記制御装置を前記平坦部に当接させた状態で前記制御装置を前記突き出し部に取り付ける取付機構と
を備えた光源ユニット。
【請求項２】
前記突き出し部は、前記配置面よりも前記裏面の側に形成されている請求項１に記載の光源ユニット。
【請求項３】
前記突き出し部は、絞り加工によって形成されている請求項１または請求項２に記載の光源ユニット。
【請求項４】
前記平坦部は、貫通孔が形成されており、
前記制御装置は、前記平坦部の前記貫通孔と重なって配置された貫通孔が形成された外郭部を有し、
前記取付機構は、
前記平坦部の貫通孔と前記外郭部の貫通孔とに挿し込まれた状態で前記制御装置を前記平坦部に固定する固定具である請求項１から請求項３のいずれか一項に記載の光源ユニット。
【請求項５】
請求項１から請求項４のいずれか一項に記載の光源ユニットと、
前記光源ユニットが取り付けられた本体ユニットと
を備えた照明器具。
【発明の詳細な説明】
【技術分野】
【０００１】
この発明は光源ユニット及び照明器具に関する。
【背景技術】
【０００２】
従来より、長尺状の光源ユニットと、この光源ユニットの一部が挿入される凹部を有する器具本体とを備える照明器具であって、光源ユニットが着脱自在に取り付けできる照明器具が提供されている。
この光源ユニットは、発光素子が実装された基板が取り付けられたフレームに、直流電源装置が取り付けられている。
【０００３】
例えば特許文献１では、光源ユニットのフレームに、基板が取り付けられる面と反対方向に突設したフレーム側面を利用して、直流電源装置を固定している。
【０００４】
特許文献２の光源ユニットでは、基板が取り付けられる面と反対方向に突設するフレーム側面を設け、このフレーム側面を貫通するねじを用いて直流電源装置をねじ止めすることによって、直流電源装置を固定している。
【先行技術文献】
【特許文献】
【０００５】
【特許文献１】特許第５８６６５２７号公報
【特許文献２】特許第６１４５２３６号公報
【発明の概要】
【発明が解決しようとする課題】
【０００６】
特許文献１に記載の照明器具及び特許文献２に記載の照明器具は、一対のフレーム側面を利用して直流電源装置を固定する構成である。
しかし、直流電源装置の外郭ケースをフレーム側面に沿わせる必要がある。
このため、外郭ケースを一対の側面の幅まで広げなければならず、外郭ケースの材料の増加の原因となる可能性も考えられる。
【０００７】
また、特許文献１に記載の照明器具は、光源ユニットのフレーム側面を凹部に収容しているため、フレーム側面が凹部の内部に配置されている部材及び電線などと干渉して、光源ユニットが取り付けるべき位置に取り付けられないという可能性も考えられる。
【０００８】
本発明は、省スペースの構成で、かつ、コスト削減となる構成で直流電源装置を固定できる、光源ユニットの提供を目的とする。
【課題を解決するための手段】
【０００９】
この発明の光源ユニットは、
光を発する発光部が配置された配置面と、前記発光部を制御する制御装置が配置された、前記配置面の裏面とを有し、前記配置面から前記裏面に向かって突き出るとともに突き出た頂に平坦部を有する突き出し部が形成された支持部材と、
前記配置面よりも前記裏面の側で前記突き出し部に配置され、前記制御装置を前記平坦部に当接させた状態で前記制御装置を前記突き出し部に取り付ける取付機構と
を備えている。
【発明の効果】
【００１０】
本発明によれば、突き出し部の平坦部に制御装置を取り付けるので、省スペース、かつ、コスト削減となる制御装置の取り付け構造をもつ光源ユニットを提供できる。
【図面の簡単な説明】
【００１１】
【図１】実施の形態１の図で、照明器具の斜視図。
【図２】実施の形態１の図で、照明器具の分解斜視図。
【図３】実施の形態１の図で、照明器具のＡ−Ａ′断面図。
【図４】実施の形態１の図で、器具本体の斜視図。
【図５】実施の形態１の図で、バネの斜視図。
【図６】実施の形態１の図で、光源ユニットの三面図。
【図７】実施の形態１の図で、光源ユニットのＢ−Ｂ′断面図。
【図８】実施の形態１の図で、光源ユニットのＢ−Ｂ′断面分解図及び詳細図。
【図９】実施の形態１の図で、光源ユニットの分解斜視図。
【図１０】実施の形態１の図で、光源ユニットの別の分解斜視図。
【図１１】実施の形態１の図で、光源ユニットのＣ−Ｃ′断面図。
【図１２】実施の形態１の図で、切絞り加工部に対する電源装置の取り付けを説明する斜視図。
【図１３】実施の形態１の図で、光源ユニットの連結金具。
【図１４】実施の形態１の図で、切絞り加工部に対する電源装置の取り付けを説明する図。
【図１５】実施の形態２の図で、光源ユニットのＢ−Ｂ′断面分解図及び詳細図。
【図１６】実施の形態２の図で、絞り加工部に対する電源装置の取り付けを説明する斜視図。
【図１７】実施の形態３の図で、光源ユニットのＢ−Ｂ′断面分解図及び詳細図。
【図１８】実施の形態３の図で、切起こし爪部に対する電源装置の取り付けを説明する斜視図。
【発明を実施するための形態】
【００１２】
以下、本発明の実施の形態について、図面を参照して説明する。同じ又は対応する構成要素には同じ符号を付し、説明の繰り返しを省略する場合がある。なお、以下の図面では各構成部材の大きさの関係が実際のものとは異なる場合がある。また、実施の形態の説明において、上、下、左、右、前、後、表、裏といった方向あるいは位置が示されている場合、それらの表記は、説明の便宜上、そのように記載しているだけであって、装置、器具、あるいは部品の配置及び向きを限定するものではない。
【００１３】
実施の形態１．
＊＊＊構成の説明＊＊＊
はじめに、図１及び図２を参照して照明器具１の各部の構成を説明する。
【００１４】
＜照明器具１＞
照明器具１は、長尺状の器具本体１００と、器具本体１００に着脱可能に取り付けられる長尺状の光源ユニット２００とを備えている。
【００１５】
器具本体１００は、光源ユニット２００の一部が収容される収容凹部１１１形成されている。
器具本体１００と光源ユニット２００とは、いずれも長尺状である。
以下の説明において、長手方向を長手方向Ｘ、長手方向Ｘに対する短手方向を短手方向Ｙとする。
長手方向Ｘ及び短手方向Ｙのそれぞれに直交する方向を上下方向Ｚとする。
また、上下方向Ｚにおいて、照明器具１が取り付けられる天井のような被取付面側の向きを上向きＺ１とし、上向きＺ１と反対側であり照明器具１から光が照射される側の向きを下向きＺ２とする。
【００１６】
＜器具本体１００＞
図３及び図４を参照して、器具本体１００の各部の構成を説明する。
器具本体１００は、ボルトなどの固定具を用いて天井などの被取付部に取り付けられる。
図４に示すように、器具本体１００は、取付部１１０、側板１２０、端子台１３０及びバネ１４０を備えている。
（１）取付部１１０は、光源ユニット２００の一部が挿入されて光源ユニット２００が収容される。
（２）側板１２０は、取付部１１０の長手方向Ｘの両端を覆う。
（３）端子台１３０は、器具本体１００の外部から引き込まれた図示しない電源線が挿し込まれる。
（４）バネ１４０は、光源ユニット２００を保持する。
を備えている。
【００１７】
＜取付部１１０＞
図３及び図４に示すように、取付部１１０は、収容凹部１１１、鍔部１１２及び傾斜部１１３を備えている。
（１）収容凹部１１１は、長手方向Ｘに沿って形成されており、光源ユニット２００が挿入され、収容される。
（２）鍔部１１２は、短手方向Ｙにおいて収容凹部１１１の両側に設けられている。
（３）傾斜部１１３は、鍔部１１２から延びている。
【００１８】
＜収容凹部１１１＞
図３及び図４に示すように、収容凹部１１１は、底部１１１ａと、一対の側部１１１ｂとを有する。
（１）底部１１１ａは、長手方向Ｘに沿って長尺状に、かつ、矩形状に形成されている。
（２）一対の側部１１１ｂは、底部１１１ａの長手方向に沿う側辺それぞれから、底部１１１ａと直交する方向（下向きＺ２）に延出する。
（３）収容凹部１１１は、底部１１１ａと、一対の側部１１１ｂとにより凹形状をなす。図３に示すように、収容凹部１１１は、光源ユニット２００の一部を収納する。
【００１９】
収容凹部１１１は、底部１１１ａと対向する位置に光源ユニット２００が挿入される開口１１１ｃが形成される。
【００２０】
底部１１１ａには、商用電源から電力供給をうける為の図示しない電源線を引き込む電源引込孔１１１ａａと、固定具により被取付部へ固定する為の固定孔１１１ａｂが形成されている。
【００２１】
鍔部１１２は、一対の側部１１１ｂの開口１１１ｃ側の長手側辺それぞれから互いに離れるように対に形成されている。
【００２２】
傾斜部１１３は、短手方向Ｙにおいて収容凹部１１１の両側に設けられている。
傾斜部１１３は、鍔部１１２の長手方向Ｘに沿う側辺から、上向きＺ１に向かって、かつ、収容凹部１１１から離れる向きに形成されている。
【００２３】
＜側板１２０＞
側板１２０は、長手方向Ｘにおける取付部１１０の両端に配置されており、収容凹部１１１及び傾斜部１１３の長手方向Ｘの端部を覆っている。
側板１２０は、収容凹部１１１と傾斜部１１３との長手方向Ｘの端部を覆う側板本体部１２１と、側板本体部１２１の下向きＺ２の側の側辺から側板本体部１２１に対して略垂直になるように突設した側板鍔部１２２とを有している。
側板１２０は、側板鍔部１２２が開口１１１ｃの端部を覆うように取付部１１０に配置されており、側板鍔部１２２は鍔部１１２と併設されている。
【００２４】
＜端子台１３０＞
図４に示すように、端子台１３０は、収容凹部１１１の底部１１１ａに固定されている。
端子台１３０は、電源引込孔１１１ａａから引き込まれた図示しない電源線と接続し、商用電源から供給される電力を光源ユニット２００に供給する。
端子台１３０は、矩形箱状に形成された端子台本体部１３１と、光源ユニット２００に電気的に接続する為の端子台接続部１３２とを備えている。
端子台接続部１３２は、端子台電線１３２ａと、端子台電線１３２ａの先端に設けられた端子台コネクタ１３２ｂを備えている。
【００２５】
＜バネ１４０＞
図４に示すように、バネ１４０は、収容凹部１１１の底部１１１ａに、長手方向Ｘに沿って対になるよう２つ配置されている。
バネ１４０は、光源ユニット２００を器具本体１００に取り付けるための取付機構の１つであり、後述する連結金具２６０と連結する。
バネ１４０は、ステンレス材料またはバネ鋼材のような弾性材料で形成されている。
バネ１４０は、図５に示すように、底部１１１ａに固定されるバネ固定部１４１と、円弧形状をしたバネ円弧部１４２と、バネ円弧部１４２の先端に設けられ後述する連結金具２６０に引掛けられるバネ先端部１４３とが設けられている。
また、一対で配置される２つのバネ１４０は、バネ先端部１４３が互いに反対側を向くように底部１１１ａに配置されている。
なお、バネ１４０は、板材の弾性材料を曲げて形成しても良く、線材の弾性材料を曲げて形成しても良い。
【００２６】
＜光源ユニット２００＞
図９及び図１０を参照して、光源ユニット２００の各部の構成を説明する。
図９に示すように、光源ユニット２００は、発光部２１０、フレーム２２０、カバー２３０、蓋２４０、電源装置２５０及び連結金具２６０を備えている。
（１）発光部２１０は、複数の発光素子２１２を有する。
（２）フレーム２２０は、発光部２１０が取付けられる。
（３）カバー２３０は、発光部２１０を覆うようにしてフレーム２２０に取り付けられる。
（４）蓋２４０は、光源ユニット２００の長手方向Ｘの端部に配置される。
（５）電源装置２５０は、発光部２１０に点灯電力を供給する。
（６）連結金具２６０は、バネ１４０と連結する。
【００２７】
＜発光部２１０＞
発光部２１０は、長手方向Ｘに沿って長尺に形成された基板２１１と、基板２１１に長手方向Ｘに沿って直線状に実装される複数の発光素子２１２とを備えている。
また、発光部２１０の長手方向の一端部には、電源装置２５０との間を電気的に接続するための図示しない電線が接続されている。
この電線が電源装置２５０に接続することで、発光部２１０と電源装置２５０とが電気的に接続される。
なお、発光素子２１２は、例えば表面実装タイプのＬＥＤ素子であるが、ＣＯＢ型発光モジュールでも良いし、有機ＥＬ素子でも良い。
【００２８】
＜フレーム２２０＞
図９及び図１０に示すように、フレーム２２０は、フレーム底部２２１，フレーム側面部２２２及び側面端部２２３を備えている。
本実施の形態では、フレーム２２０は金属材料を用いて形成されている。
（１）フレーム底部２２１は、長手方向Ｘに沿う長尺形状であり、かつ、矩形状に形成されている。
（２）一対のフレーム側面部２２２は、フレーム底部２２１の長手方向に沿う側辺のそれぞれから、フレーム底部２２１と直交する方向であり上向きＺ１へ起立する。
（３）側面端部２２３は、各フレーム側面部２２２の先端に形成されており、側面端部２２３は、曲げ加工によって形成される。
【００２９】
また、フレーム底部２２１には、電源装置２５０を固定するための、切絞り加工部４０１及び絞り加工部４０２が形成されている。
切絞り加工部４０１は、切絞り加工によって形成されている。
絞り加工部４０２は、絞り加工によって形成されている。
絞り加工部４０２の頂の平坦部４０２ａにはネジ４０３を挿通するための貫通孔４０２ｂが形成されている。
【００３０】
＜カバー２３０＞
図３、図９及び図１０に示すように、カバー２３０は、発光部２１０を覆うように長尺に形成されフレーム２２０に取り付けられる。
図３に示すように、カバー２３０は、カバー円弧部２３１と、カバー側部２３２と、カバー底部２３３とを有している。
カバー２３０は、アクリル、ポリカーボネイトといった樹脂材料、またはガラス材料など透光性の材料を用い、光拡散性を有するように乳白色の処理が施されて形成され、発光部２１０から照射される光を拡散する。
【００３１】
カバー円弧部２３１は円弧形状であり、発光部２１０を覆っている。
カバー側部２３２は、カバー円弧部２３１の各端部より上向きＺ１に延びている。
カバー底部２３３は、カバー円弧部２３１と対向するように配置されている。
【００３２】
＜蓋２４０＞
図９及び図１０に示すように、蓋２４０は、光源ユニット２００の長手方向Ｘにおける端部に設けられる。
蓋２４０は、カバー２３０の長手方向Ｘの端部の開口を塞ぐとともに、発光部２１０が照射する光を長手方向Ｘへ配光する。
蓋２４０は、アクリル、ポリカーボネイトといった樹脂材料、またはガラス材料など透過性の材料を用い、光拡散性を有するように乳白色の処理が施されて形成されており、カバー２３０と接着剤、熱溶着などの接合手段により接合されている。
蓋２４０は、カバー２３０の端部に設けられており、光源ユニット２００の長手方向Ｘにおける端部となる蓋端面２４１と、蓋２４０の側面となる蓋側面２４２を有している。
【００３３】
＜電源装置２５０＞
図９に示すように、電源装置２５０は、フレーム底部２２１の発光部２１０が取り付けられた配置面２２１ａの裏面２２１ｂに固定される。
電源装置２５０は、端子台１３０を介して供給される商用電源からの電力を発光部２１０に供給し、発光部２１０を点灯させる。
電源装置２５０は、図示しない電源回路が内蔵され長尺形状をした電源本体部２５１と、端子台接続部１３２と接続する電源接続部２５２を備えている。
電源接続部２５２は、電源電線２５２ａと、電源電線２５２ａの先端に設けられ、端子台コネクタ１３２ｂと接続する電源コネクタ２５２ｂを備えている。
【００３４】
＜連結金具２６０＞
図１２に示すように、連結金具２６０は、略Ｌ形状をしており、連結金具２６０は、金具固定部２６１、バネ連結部２６２を備えている。
連結金具２６０は、光源ユニット２００を器具本体１００に取り付けるための取付機構の１つであり、バネ１４０と係合する。
なお、金具固定部２６１はフレーム底部２２１にネジなどを用いて固定される。
バネ連結部２６２は、バネ１４０が引っ掛けられる連結開口部２６２ａが形成されている。
連結開口部２６２ａとバネ１４０のバネ円弧部１４２とが係合し、光源ユニット２００は器具本体１００に固定される。
【００３５】
＜電源装置の取付構造＞
図６、図７、図８、図９、図１０、図１１、図１２、図１３及び図１４を参照して、電源装置２５０の取付構造に関して説明を行う。
図８の（ａ）及び図１２の（ａ）はネジ４０３がバーリング部２５３に締め込まれる前の状態を示し、図８の（ｂ）及び図１２の（ｂ）はネジ４０３がバーリング部２５３に締め込まれた後の状態を示している。
【００３６】
図１０に示すように、フレーム２２０には切絞り加工部４０１と、絞り加工部４０２とが形成されている。
電源装置２５０は、長手方向Ｘの一方の端部が切絞り加工部４０１に取り付けられ、他方の端部が絞り加工部４０２に取り付けされる。
実施の形態１の特徴は、主に絞り加工部４０２における電源装置２５０の取付構造にある。
まず、絞り加工部４０２における取付構造を説明する。
【００３７】
図８に示すように、支持部材９３０であるフレーム２２０は、光を発する発光部２１０が配置された配置面２２１ａと、発光部２１０を制御する制御装置９１０である電源装置２５０が配置された、裏面２２１ｂとを有している。
フレーム２２０は、配置面２２１ａから裏面２２１ｂに向かって突き出るとともに突き出た頂に平坦部４０２ａを有する突き出し部９２０である絞り加工部４０２が形成されている。
絞り加工部４０２は絞り加工によって形成されている。
取付機構９４０であるネジ４０３は、配置面２２１ａよりも裏面２２１ｂの側で絞り加工部４０２に配置され、電源装置２５０を平坦部４０２ａに当接させた状態で電源装置２５０を突き出し部９２０に取り付けている。すなわち、ネジ４０３は電源装置２５０をフレーム２２０に取り付けるための固定具である。
【００３８】
また、絞り加工部４０２は、配置面２２１ａよりも裏面２２１ｂの側に形成されている。
【００３９】
平坦部４０２ａには貫通孔４０２ｂが形成されている。
電源装置２５０は、平坦部４０２ａの貫通孔４０２ｂと重なって配置された貫通孔２５３ａが形成された外郭部９５０である電源本体部２５１を有している。
ネジ４０３は、平坦部４０２ａの貫通孔４０２ｂと電源本体部２５１の貫通孔２５３ａとに挿し込まれた状態で、電源装置２５０を平坦部４０２ａに固定する。
【００４０】
絞り加工部４０２はフレーム２２０のフレーム底部２２１に形成されているが、絞り加工部４０２と組み合うのは電源本体部２５１に形成されたバーリング部２５３である。
バーリング部２５３はバーリング加工によって形成されおり、バーリング部２５３の貫通孔２５３ａの内周にはネジ４０３のネジ山と組み合うネジ溝が形成されている。
図８の（ｂ）に示すように、平坦部４０２ａの上に、貫通孔４０２ｂと貫通孔２５３ａとが連通するようにバーリング部２５３が配置されており、ネジ４０３のネジ山が貫通孔２５３ａの内周のネジ溝と組み合うことでバーリング部２５３が絞り加工部４０２に固定される。
図９に示すように、基板２１１は、電源装置２５０がネジ４０３でフレーム２２０に固定された後に、配置面２２１ａに固定される。
【００４１】
図１３は電源装置２５０を切絞り加工部４０１に取り付けを説明する図である。
図１３を用いて、切絞り加工部４０１による電源装置２５０の取付構造を簡単に説明する。
【００４２】
切絞り加工部４０１は片側のみが開孔している袋状の形状をなしている。
切絞り加工部４０１は切絞り加工によって形成されている。
このため切絞り加工部４０１は、衝撃に対する強度に優れており、図１０のように一箇所でも電源装置２５０を確実に係合させ続けることができる。
切絞り加工部４０１は、切絞り加工により形成する以外に、長手方向Ｘの両側が開孔している所謂ブリッジ形状を採用することも可能である。
切絞り加工部４０１の挿入孔４０１ａに電源装置２５０の電源本体部２５１の有する係合片２５５は、図１３の実線矢印の向きに差し込まれることによって、電源装置２５０が切絞り加工部４０１に取り付けられる。
挿入孔４０１ａは係合片２５５によって閉塞される。
【００４３】
＊＊＊実施の形態１の効果＊＊＊
このように、絞り加工部４０２を設けることによって、フレーム底部２２１のみを使用して電源装置２５０をフレーム２２０に固定することが可能となる。
よって、電源装置２５０の短手方向Ｙ（図３）の寸法を、一対のフレーム側面部２２２それぞれに届く長さにする必要がない。
つまり、図３のそれぞれの寸法Ｗ１の長さの空間が保持できる。
よって、電源装置２５０の外郭部である電源本体部２５１を構成する材料の材料費の向上を抑制できる。
【００４４】
図８に示すように、絞り加工部４０２を用いることで、基板２１１と、絞り加工部４０２の平坦部４０２ａとの間に空間４０４が形成される。
空間４０４内にネジ４０３の頭部４０３ａを納めることにより、その後に配置面２２１ａに取付けられる基板２１１がネジ４０３と干渉しない効果がある。
【００４５】
また、図１０、図１１に示すように、基板２１１の幅Ｘよりも、絞り加工部４０２の外周の直径Ｙを小さく設定することによって、空間４０４を封止できる。
また、ネジ４０３が、電源本体部２５１に形成されているバーリング部２５３に締め込まれる際に発生するおそれのある金属の小片（切り子）が、カバ−２３０の内部に侵入することを防止できる。
【００４６】
また、電源装置２５０をフレーム２２０の絞り加工部４０２に固定する場合、ネジ４０３は螺旋状に回転しながら上向きＺ１に進む。
よって、ネジ４０３の先端が配置面２２１ａに突き出ることはないので、ネジ先が発光部２１０から発せられる光を遮ることはない。
このため、点灯中にネジ先の影がカバー２３０に投影されることがなく、発光部２１０の発した光はカバー２３０によって均一に拡散される。
すなわち、発光部２１０の点灯中における意匠性が向上する。
【００４７】
なお、実施の形態１では電源装置２５０の一方を切絞り加工部４０１に差し込んで固定している。
しかし、切絞り加工部４０１を絞り加工部４０２と同じ絞り加工部の形状とし、この絞り加工部を、絞り加工部４０２と同様にネジを用いて固定しても良い。
この場合、電源本体部２５１には、切絞り加工部４０１に形成される貫通孔と連通するようにバーリング部を形成する。
【００４８】
また、電源装置２５０の取付機構９４０としてネジ４０３を使用している。
しかし、取付機構９４０はネジ４０３に限らず、アルミリベット、樹脂製のスナップフィット部材などの固定具を使用しても良いし、金属同士をプレス加工して固定するかしめでも良い。取付機構９４０として使用される固定具は、鉄、ステンレス、アルミ二ウムなどを含む金属材料の他、樹脂材料、セラミック材料などによって製造することができる。
【００４９】
また、空間４０４を作り出す絞り加工部４０２は、低いほど加工性に優れる。
「絞り加工部４０２は低い」とは、配置面２２１ａから平坦部４０２ａまでの上向きＺ１の長さが短いことを意味する。
絞り加工部４０２が低い場合、フレーム２２０に取付けられた電源装置２５０の総合高さが高くならず、結果として、照明器具１の総合高さが高くなることを抑制できる。
よって、電源装置２５０を固定するネジ４０３の頭形状は背の低い低頭ネジが好ましい。
そして、絞り加工部４０２の高さは２ｍｍ以下であることが好ましい。
【００５０】
また、実施の形態１では、上向きＺ１に立ち上がるように形成されたバーリング部２５３と、ネジ４０３とを使用して電源装置２５０を固定している。
しかし、バーリング部２５３をネジ溝が形成しない凹状部または貫通孔とし、ネジ４０３とナットを用いて電源装置２５０を固定しても良い。
【００５１】
実施の形態１では、フレーム２２０は金属材料を用いて形成されている。
しかし、フレーム２２０に用いる材料は金属材料に限らず、樹脂材料、セラミック材料、ガラス材料を用いてフレーム２２０の全てまたは一部が形成されても良い。
【００５２】
実施の形態２．
図１５及び図１６を参照して、実施の形態２に係る電源装置２８０の取付構造に関して説明をする。
図１５の（ａ）は、電源装置２８０が絞り加工部４１２に取付けられる前の状態を示す。図１５の（ｂ）は、電源装置２８０が絞り加工部４１２に取付けられた状態を示し、図１５の（ｃ）は、図１５の（ｂ）のＥ部を拡大した詳細図である。
図１６は、絞り加工部４１２に対する電源装置２８０の取り付けを説明する斜視図である。
実施の形態２の特徴は、主に絞り加工部４１２における電源装置２８０の取付構造にある。
【００５３】
図１５及び図１６に示すように、フレーム２７０には、配置面２７１ａから裏面２７１ｂに向かって突き出るとともに突き出た頂に平坦部４１２ａを有する突き出し部９２０である絞り加工部４１２が絞り加工によって形成されている。絞り加工部４１２は、配置面２７１ａよりも裏面２７１ｂの側に形成されている。
【００５４】
実施の形態２では、平坦部４１２ａには、ネジを挿し込んだり羅着させたりするための貫通孔が形成されていない。また、電源装置２８０の外郭部９５１である電源本体部２８１には貫通孔が形成されていない。
【００５５】
実施の形態２では、平坦部４１２ａと電源本体部２８１とは、カシメ加工によって接合されている。詳しくは、図１５の（ｃ）に示すように、例えば、ドローロックカシメ方式のカシメ加工を用いることができる。図１５の（ｃ）は、カシメ加工によって、加工突出部４１６が配置面２７１ａよりも裏面２７１ｂの側で絞り加工部４１２の内部に収まるように形成されるカシメ加工部４１５を示している。しかし、これに限らず、カシメ加工部４１５は、加工突出部４１６が電源本体部２８１から配置面２７１ａと反対側に形成されてもよい。
カシメ加工部４１５は、例えば、図１５の（ａ）に示すように、Ｐ方向から突き出されるパンチを、Ｄ方向からダイスが受けることで形成される。
【００５６】
＜変形例＞
カシメ加工は、上述したドローロックカシメ方式の他、カットロックカシメ方式、スポットカシメ方式といった加工方式を用いることができる。この際、好ましくは、カシメ加工が施された平坦部４１２ａと電源本体部２８１とを貫通する貫通孔が形成されないように加工する。
【００５７】
平坦部４１２ａと電源本体部２８１とは、ともに金属材料を用いて形成されている場合に溶接加工によって接合することができる。溶接加工は、溶極式の加工あるいは非溶極式の加工の何れを採用してもよい。また、平坦部４１２ａと電源本体部２８１とは、接着部材を用いて接合されてもよい。
【００５８】
＊＊＊実施の形態２の効果＊＊＊
以下に実施の形態２の効果を説明する。
（１）フレーム２７０と電源本体部２８１とには、ネジなどの取付機構（固定具）を用いる場合に必要となる貫通孔が設けなくてもよいため、部品の製造時間や製造コストを削減することができる。
（２）ネジなどの取付機構（固定具）を用いなくても、固定強度を得ることができる。
（３）気密性が確保される形状とすることによって、光源ユニットの内部へ虫、塵埃等の異物が侵入することを抑制できる。
【００５９】
実施の形態３．
図１７及び図１８を参照して、実施の形態３に係る電源装置３００の取付構造に関して説明をする。
図１７の（ａ）は、電源装置３００が切起こし爪部４２２に係着される前の状態を示す。図１７の（ｂ）は、電源装置３００が切起こし爪部４２２に係着された状態を示し、図１７の（ｃ）は、図１７の（ｂ）のＦ部を拡大した詳細図である。
図１８は、切起こし爪部４２２に対する電源装置３００の係着を説明する斜視図である。
実施の形態３の特徴は、主に切起こし爪部４２２における電源装置３００の取付構造にある。
【００６０】
図１７及び図１８に示すように、フレーム２９０は、フレーム底部２９１に、配置面２９１ａから裏面２９１ｂに向かって突き出た突き出し部９２０である切起こし爪部４２２が切起こし加工によって形成されている。切起こし爪部４２２は板状であり折り曲げる等の変形が可能な厚さである。切起こし爪部４２２は、配置面２９１ａよりも裏面２９１ｂの側に形成されている。
【００６１】
電源装置３００は、切起こし爪部４２２に対応した位置に配置され、切起こし爪部４２２が挿通可能な貫通孔３０３ａが形成された外郭部９５２である電源本体部３０１を有している。切起こし爪部４２２は、貫通孔３０３ａに挿し込まれた状態で、貫通孔３０３ａから抜去しないように折り曲げられることによって、電源装置３００を切起こし爪部４２２に係着した状態で固定する。
【００６２】
実施の形態３では、フレーム２９０及び電源装置３００の外郭部９５２である電源本体部３０１には、ネジを挿し込んだり羅着させたりするための貫通孔が形成されていない。
一方、フレーム２９０には切起こし爪部４２２が形成されることによる貫通孔が形成される。好ましくは、この貫通孔は配置面２７１ａに配置される基板２１１によって塞がれる。
図１８の（ａ）に示すように、フレーム２９０の裏面２９１ｂには、底凸部２９２ａ，２９２ｂが形成されている。図１７の（ｃ）に示すように、底凸部２９２ａの頂部２９２ａａが電源本体部３０１を支持している。図示はしていないが底凸部２９２ｂの頂部２９２ｂｂも電源本体部３０１を支持している。よって、切起こし爪部４２２を折り曲げて電源装置３００を切起こし爪部４２２に係着した状態では、電源装置３００は底凸部２９２ａ，２９２ｂによって確実に支持されている。
【００６３】
＜変形例＞
フレーム２９０の配置面２９１ａよりも裏面２９１ｂの側に切起こし爪部４２２を形成するためにフレーム底部２９１を切り起こす向きは任意である。
電源本体部３０１に形成される貫通孔３０３ａは、切起こし爪部４２２が挿通可能で、切起こし爪部４２２に折り曲げる等の変形が加えられた状態で抜去しなければ、形状および向きを任意に選択できる。
切起こし爪部４２２は、貫通孔３０３ａに挿通された状態で貫通孔３０３ａから抜去しなければ、折り曲げの向きと折り曲げの角度を任意に選択できる。
切起こし爪部４２２は、折り曲げる変形以外に、ねじる等、他の変形によって貫通孔３０３ａに係着させてもよい。
【００６４】
＊＊＊実施の形態３の効果＊＊＊
以下に実施の形態３の効果を説明する。
（１）電源本体部３０１は、フレーム２９０に形成された切起こし爪部４２２によってフレーム２９０に取り付けるため、ネジのような固定具が不要となる。よって部品の製造時間及び製造コストを削減することができる。
（２）貫通孔３０３ａに切起こし爪部４２２を挿通することによって、フレーム２９０に対する電源本体部３０１の取り付けの位置を決めることができる。
（３）ネジなどの取付機構（固定具）を用いなくても、固定強度を得ることができる。
（４）気密性が確保される形状とすることによって、光源ユニットの内部へ虫、塵埃等の異物が侵入することを抑制できる。
【００６５】
以上、本発明の実施の形態について説明したが、各実施の形態において説明した構成は、可能な範囲で組み合わせて実施しても良い。また、実施の形態１から３で説明した構成の１つを部分的に実施しても良い。実施の形態１から３で説明した構成の複数を部分的に組み合わせて実施しても良い。本発明は、実施の形態１から３で説明した構成のみに限定されるものではなく、必要に応じて種々の変形が可能である。
【００６６】
例えば、実施の形態１から３における電源装置は、長手方向Ｘの一方の端部が切絞り加工部４０１に取り付けられ、他方の端部が絞り加工部４０２に取り付けされるものとして説明したが、これに限らず、電源装置は、長手方向Ｘの一方の端部と他方の端部が絞り加工部４０２に取付けられてもよい。この際、実施の形態１から３におけるフレームは、電源装置の長手方向Ｘの一方の端部と他方の端部とが取付けられる部分に絞り加工部４０２が形成される。
【００６７】
また、切絞り加工部４０１は、絞り加工部４０２の機能を兼ね備えるように形成されてもよい。
【符号の説明】
【００６８】
Ｘ  長手方向、Ｙ  短手方向、Ｚ  上下方向、Ｚ１  上向き、Ｚ２  下向き、１  照明器具、１００  器具本体、１１０  取付部、１１１  収容凹部、１１１ａ  底部、１１１ａａ  電源引込孔、１１１ａｂ  固定孔、１１１ｂ  側部、１１１ｃ  開口、１１２  鍔部、１１３  傾斜部、１２０  側板、１２１  側板本体部、１２２  側板鍔部、１３０  端子台、１３１  端子台本体部、１３２  端子台接続部、１３２ａ  端子台電線、１３２ｂ  端子台コネクタ、１４０  バネ、１４１  バネ固定部、１４２  バネ円弧部、１４３  バネ先端部、２００  光源ユニット、２１０  発光部、２１１  基板、２１２  発光素子、２２０，２７０，２９０  フレーム、２２１，２７１，２９１  フレーム底部、２９２ａ、２９２ｂ  底凸部、２２１ａ，２７１ａ，２９１ａ  配置面、２２１ｂ，２７１ｂ，２９１ｂ  裏面、２２２  フレーム側面部、２２３  側面端部、２３０  カバー、２３１  カバー円弧部、２３２  カバー側部、２３３  カバー底部、２４０  蓋、２４１  蓋端面、２４２  蓋側面、２５０，２８０，３００  電源装置、２５１，２８１，３０１  電源本体部、２５１ａ，３０３ａ  貫通孔、２５２  電源接続部、２５２ａ  電源電線、２５２ｂ  電源コネクタ、２５３  バーリング部、２５５  係合片、２６０  連結金具、２６１  金具固定部、２６２  バネ連結部、２６２ａ  連結開口部、４０１  切絞り加工部、４０２，４１２  絞り加工部、４０２ａ，４１２ａ  平坦部、４０２ｂ  貫通孔、４０３  ネジ、４０４  空間、４１５  カシメ加工部、４１６  加工突出部、４２２  切起こし爪部、９１０  制御装置、９２０  突き出し部、９３０  支持部材、９４０  取付機構、９５０，９５１，９５２  外郭部。
【図１】
2019140098.tif 000003
【図２】
2019140098.tif 000004
【図３】
2019140098.tif 000005
【図４】
2019140098.tif 000006
【図５】
2019140098.tif 000007
【図６】
2019140098.tif 000008
【図７】
2019140098.tif 000009
【図８】
2019140098.tif 000010
【図９】
2019140098.tif 000011
【図１０】
2019140098.tif 000012
【図１１】
2019140098.tif 000013
【図１２】
2019140098.tif 000014
【図１３】
2019140098.tif 000015
【図１４】
2019140098.tif 000016
【図１５】
2019140098.tif 000017
【図１６】
2019140098.tif 000018
【図１７】
2019140098.tif 000019
【図１８】
2019140098.tif 000020